(57)【要約】【課題】洗浄水中にラベル等の大型ゴミが多数あっても頻繁にメンテナンス管理を行なわなくても長期間に亘って安定した濾過機能を確保する。【解決手段】メインタンク本体３と、そのメインタンク本体３の上部においてエンドレスに回動自在に支持されると共に、上位側を濾過領域、下位側を戻り領域に形成された濾過部材１５と、その濾過部材１５に付着したゴミ等を前記下位側となる戻り領域において噴射圧により前記メインタンク本体３の外へ剥離し取除く噴射ノズル３１とで構成し、前記濾過部材１５に、車幅方向に連続する山と谷を交互に作り、回動Ｘ方向へ洗浄水が走るのを阻止するストッパ壁としての機能と、少なくとも上位側となる濾過領域を中央部から両サイドに向かって上昇する断面Ｕ字形状とし、洗浄水が外（Ｙ方向）へ溢れ出るのを阻止する機能とを備えるようにする。【選択図】図１
2006263669.tif 000002
【特許請求の範囲】
【請求項１】
メインタンク本体と、そのメインタンク本体の上部においてエンドレスに回動自在に支持されると共に、上位側を濾過領域、下位側を戻り領域に形成された濾過部材と、その濾過部材に付着したゴミ等を前記下位側となる戻り領域において噴射圧により前記メインタンク本体の外へ剥離し取除く噴射ノズルとから成り、前記濾過部材は、車幅方向に連続する山と谷が交互に作られた所定の幅を有し、少なくとも上位側となる濾過領域を中央部から両サイドに向かって上昇する断面Ｕ字形状としたことを特徴とする濾過装置。
【請求項２】
前記メインタンク本体には、前記濾過部材の下位側となる戻り領域が通り抜けるトンネル部を備えていることを特徴とする請求項１記載の濾過装置。
【発明の詳細な説明】
【技術分野】
【０００１】
本発明は、洗浄水を循環させて繰返し使用する時に、洗浄完了後にでる比較的大きなゴミ等を取除くのに適する濾過装置に関する。
【背景技術】
【０００２】
従来、洗浄水を循環させて繰返し使用する時に、洗浄完了後にでるゴミ等は濾過装置によって取除かれる。
【０００３】
濾過装置の概要は、ゴミ等を取除く濾過手段にフイルタが用いられ、フイルタは取付け、取外しが可能となっていて定期的に交換して使用するようになっている。
【特許文献１】特開２０００−２４６２０６号公報
【発明の開示】
【発明が解決しようとする課題】
【０００４】
フイルタは、目詰まりが起きてくると濾過機能が極端に低下するところから頻繁なメンテナンス管理が求められることと、フイルタの交換は維持費につながりランニングコストの面でも望ましくない。
【０００５】
特に、洗浄完了後の洗浄水中に剥がしたラベル等大型のゴミが多数ある場合にはすぐに目詰まりする恐れがあり、フイルタの頻繁な交換が要求される不具合があった。
【０００６】
そこで、本発明にあっては洗浄水中にラベル等の大型のゴミが多数あっても頻繁にメンテナンス管理を行なわなくても長期間に亘って安定した濾過機能が得られる濾過装置を提供することを目的としている。
【課題を解決するための手段】
【０００７】
前記目的を達成するために、本発明にあっては、メインタンク本体と、そのメインタンク本体の上部においてエンドレスに回動自在に支持されると共に、上位側を濾過領域、下位側を戻り領域に形成された濾過部材と、その濾過部材に付着したゴミ等を前記下位側となる戻り領域において噴射圧により前記メインタンク本体の外へ剥離し取除く噴射ノズルとから成り、前記濾過部材は、車幅方向に連続する山と谷が交互に作られた所定の幅を有し、少なくとも上位側となる濾過領域を中央部から両サイドに向かって上昇する断面Ｕ字形状としたことを特徴とする。
【発明の効果】
【０００８】
本発明によれば、洗浄完了後の洗浄水をエンドレスに回動する濾過部材の上位側となる濾過領域の上に送り込むことで、ラベル等を含むゴミは濾過部材の上面に残る。濾過部材を通過した洗浄水は濾過水としてメインタンク本体内へ落下し、再び洗浄水として再利用できる。濾過部材の上面に残ったラベル等は、戻り領域において噴射ノズルによりメインタンク本体の外へ吹き飛ばされて剥離し、きれいに取除くことができる。
【０００９】
ゴミ等が取除かれた濾過部材は再び上位側となる濾過領域へ向かって回動するため、頻繁なメンテナンスが不要になると共に長期間にわたって安定した濾過状態を得ることができる。
【００１０】
一方、濾過部材の上位側となる濾過領域に洗浄完了後の洗浄水を送り込んだ時、回動方向には山、谷、山、谷の凹凸がストッパ壁として作用する一方、幅方向には断面Ｕ字状の形状によって外へこぼれ出ることなく確実に濾過することができる。
【発明を実施するための最良の形態】
【００１１】
本発明にあっては、前記メインタンク本体に、前記濾過部材の下位側となる戻り領域が通り抜けるトンネル部を設け、濾過部材の戻り領域がメインタンク本体内を直接通過するのをなくして、取りきれずに残る小さいゴミ等が洗浄水中に戻るのを阻止する。
【実施例】
【００１２】
以下、図１乃至図７の図面を参照しながら本発明の実施形態について具体的に説明する。
【００１３】
図１は本発明にかかる濾過装置全体の概要平面図、図２はその概要正面図、図３はメインタンク本体とトンネル部と第１、第２のサブタンクの関係を示した概要斜視図をそれぞれ示している。
【００１４】
濾過装置１のメインタンク本体３は前後（図３左右）に長い形状に作られていてその前方には第１のサブタンク５が、後方には第２のサブタンク７がそれぞれ設けられ、支脚９により支持されている。
【００１５】
メインタンク本体３及び第１、第２のサブタンク５、７は仕切壁１１、１１によりそれぞれ独立した部屋に作られていて上方が開放している。
【００１６】
メインタンク本体３には、トンネル部１３と洗浄水取出口１４がそれぞれ設けられ、洗浄水取出口１４は図外の洗浄装置と接続連通している。
【００１７】
トンネル部１３は、一方が第１のサブタンク５内と、他方は第２のサブタンク７内とそれぞれ開口連通している。メインタンク本体３には、その上部から前記トンネル部１３を通って再び上部へ戻る濾過部材１５がエンドレスに配置セットされている。
【００１８】
濾過部材１５は合成樹脂等の材質によりシート状に形成され、ミリ単位以上のものは通過を阻止するメッシュに作られている。濾過部材１５の前方（図１左側）及び後方（図１右側）は、メインタンク本体３から前記第１、第２のサブタンク５、７まで延長された状態で搬送支持体１７にエンドレスに掛け回されている。
【００１９】
搬送支持体１７は、第１のサブタンク５の上部に臨む一対の駆動スプロケット１９と第２のサブタンク７の上部に臨む一対の従動スプロケット２１とに図４に示すようにチエーン２３がそれぞれ掛け回され、チエーン２３とチエーン２３の間に支持アーム２５が所定の間隔で渡架された構造となっている。駆動スプロケット１９は、駆動モータＭによって回転力が与えられると共に、搬送支持体１７の上位側は、第２のサブタンク７、メインタンク本体３、第１のサブタンク５に臨むようになっている。戻り側となる下位側は、第１のサブタンク５から中間プーリ２７を介してトンネル部１３、第２のサブタンク７に臨むレイアウト構造となっていて前記駆動モータＭによりゆっくりとエンドレスに回動可能となっている。
【００２０】
支持アーム２５は、図５、図６、図７に示すように中央部から両サイドへ向けて上昇傾斜するＵ字状に形成され、その両端は前記チエーン２３に設けられた取付けブラケット２９に固定支持されている。
【００２１】
支持アーム２５と支持アーム２５の間は所定の間隔で配置することは前記した通りであるが、Ｕ字状に形成された中央部位までの高さＨは、一つ置きに高い、低い、高い、低い関係にそれぞれ設定され、その上に前記濾過部材１５が固定支持されている。
【００２２】
これにより、濾過部材１５は高い位置の支持アーム２５に固定支持された所では幅方向に沿って山となる凸部となる。低い位置の支持アーム２５に固定支持された所では幅方向に沿って谷となる凹部となり回動方向（図６矢印）に沿って山、谷、山、谷となる凹凸の形状が作られるようになっている。したがって、洗浄水がその上に送り込まれた時に山となる凸部は回動方向Ｘへ洗浄水が走るのを阻止するストッパ壁として作用し、外へこぼれ出るのを阻止する。
【００２３】
また、Ｕ字状に形成されることで、送り込まれた洗浄水が両サイドから外、Ｙ方向へこぼれ出るのを阻止する作用が得られるようになっている。
【００２４】
一方、トンネル部１３の前方で第１のサブタンク５内には、噴射ノズル３１が幅方向に沿って配置されている。
【００２５】
噴射ノズル３１は、各ノズルから噴射する噴射圧によって濾過部材１５の上面に残ったラベル等のゴミを第１のサブタンク５内へ剥離させ取除くためのものであって、噴射手段としては空気圧、蒸気圧、水圧いずれの手段であってもよい。
【００２６】
この場合、図３に示すように第１のサブタンク５の底部に出し入れ可能な回収ゴミ受けボックス３３を設けるようにすることが望ましい。また、噴射位置としては、トンネル部１３に入る前段で、戻り領域となる内側から噴射することが望ましい。なお、噴射は内側、外側の組合せとしてもよく、また、第２のサブタンク７側に配置する組合せとすることも可能である。
【００２７】
このように構成された濾過装置１によれば、上位側となる濾過部材１５の上面に洗浄完了後の洗浄水を送り込むと、ラベル等の大型のゴミ等は上面に残ると共に、洗浄水は下方へ通過しメインタンク本体３内へ濾過水として落下し、洗浄水として再利用が可能となる。この濾過作業時において、濾過領域の上面に作られた山となる凸部は、上から送り込まれる洗浄水のストッパ壁として作用し、回動（Ｘ方向）へ洗浄水が走るのを阻止し、第１、第２のサブタンク５、７へ流れ落ちるのを阻止する。また、Ｕ字状の形状によって両サイドから外（Ｙ方向）へ溢れでるのを阻止する。
【００２８】
一方、濾過部材１５上面に残ったラベル等のゴミは、噴射ノズル３１からの噴射圧によって第１のサブタンク５内へ剥離され、取除かれるようになる。きれいになった戻り領域の濾過部材１５はトンネル部１３を通って再び上位側へ向かう回動となるため、上位側の濾過領域は常にゴミ等が取除かれた状態となるため、従来のようにフイルタ等の交換が不要となり、長期間に亘って安定した濾過状態が得られるようになる。
【００２９】
一方、下位側となる戻り領域はトンネル部１３を通って上位側へ戻る回動となるため、メインタンク本体３内を直接通過することがなくなり、噴射ノズル３１によって小さいゴミ等が取りきれずに残ったとしても、洗浄水中に戻るのを確実に阻止することができる。
【図面の簡単な説明】
【００３０】
【図１】本発明に係る濾過装置の概要平面図。
【図２】濾過装置の概要正面図。
【図３】メインタンク本体とトンネル部と第１、第２のサブタンクの関係を示した概要斜視図。
【図４】搬送支持体の一部分を示した概要平面図。
【図５】図４のＡ−Ａ線断面図。
【図６】図５のＢ−Ｂ線断面図。
【図７】図５のＣ−Ｃ線断面図。
【符号の説明】
【００３１】
１    濾過装置
３    メインタンク本体
５    第１のサブタンク
７    第２のサブタンク
１３    トンネル部
１５    濾過部材
１７    搬送支持体
２５    支持アーム
３１    噴射ノズル
【図１】
2006263669.tif 000003
【図２】
2006263669.tif 000004
【図３】
2006263669.tif 000005
【図４】
2006263669.tif 000006
【図５】
2006263669.tif 000007
【図６】
2006263669.tif 000008
【図７】
2006263669.tif 000009